(57)【特許請求の範囲】
【請求項１】
防潮構造物であって、
防潮対象場所に所定の間隔ごとに設置される複数本の鋼管杭と、
該複数本の鋼管杭の隣接する２本の鋼管杭間にそれぞれ取り付けられる複数のプレキャスト部材とを備え、
前記複数のプレキャスト部材は、前記複数本の鋼管杭に複数段に、かつ、上下段のプレキャスト部材が交互に配置されるように千鳥状に、前記複数本の鋼管杭に取り付けられ、
前記各プレキャスト部材は、平面視長円形状をなすブロックであって、左右両端面が曲面に形成される平面視長円形状の本体部と、該本体部の下面から突出するとともに、左右両端面が曲面に形成される柱状の突出部と、該突出部を挟んだ前記本体部の両側に設けられるとともに、前記鋼管杭を挿通させる挿通孔とを備え、
下段の隣接するプレキャスト部材の前記本体部間に上段のプレキャスト部材の前記突出部が配置され、かつ、各段の隣接する本体部の左右何れかの端面と、それらの間に配置される突出部の左右両端面とが互いに接触するように、前記複数のプレキャスト部材が前記複数本の鋼管杭に取り付けられていることを特徴とする防潮構造物。
【請求項２】
防潮構造物であって、
防潮対象場所に所定の間隔ごとに設置される複数本の鋼管杭と、
該複数本の鋼管杭の隣接する２本の鋼管杭間にそれぞれ取り付けられる複数のプレキャスト部材とを備え、
前記複数のプレキャスト部材は、前記複数本の鋼管杭に複数段に、かつ、上下段のプレキャスト部材が交互に配置されるように千鳥状に、前記複数本の鋼管杭に取り付けられ、
前記各プレキャスト部材は、本体部と、該本体部の上面から突出する突出部と、該突出部を挟んだ前記本体部の両側に設けられるとともに、前記鋼管杭を挿通させる挿通孔とを備え、
下段の隣接するプレキャスト部材の前記突出部間に上段のプレキャスト部材の前記本体部が配置され、かつ、各段の隣接する突出部の左右何れかの端面と、それらの間に配置される本体部の左右両端面とが互いに接触するように、前記複数のプレキャスト部材が前記複数本の鋼管杭に取り付けられ、
最下段の隣接する前記プレキャスト部材の前記本体部の間に、その間の隙間を塞ぐプレキャスト部材が介装されていることを特徴とする防潮構造物。
【請求項３】
前記プレキャスト部材は、平面視長円形状をなすブロックであって、左右両端面が曲面に形成される平面視長円形状の前記本体部と、前記本体部の下面中央部から突出するとともに、左右両端面が曲面に形成される柱状の前記突出部と、該突出部を挟んだ前記本体部の両側に設けられる前記挿通孔とからなることを特徴とする請求項２に記載の防潮構造物。
【発明の詳細な説明】
【技術分野】
【０００１】
本発明は、防潮構造物に関し、特に、高潮や津波等による災害の発生を防止するのに有効な防潮構造物に関する。
【背景技術】
【０００２】
海に面した地域においては、高潮や津波による災害を防止するために、防潮堤等の各種の防潮構造物が設置されている。しかし、既設の防潮構造物は、従来の防災基準に基づいて設置されたものであるため、基準を超えるような想定外の高潮や津波が発生した場合には対応しきれない。
【０００３】
このため、従来の防災基準を超えるような想定外の高潮や津波にも対応できるように、既設の防潮構造物を嵩上げするか、或いは、想定外の高潮や津波に対応可能な高さの防潮構造物を新設する等、何らかの対策を早急に採る必要がある。
【０００４】
特許文献１には、防潮構造物としての顎付壁体が開示されている。この顎付壁体は、移動型枠装置を用いて構築するように構成したものである。移動型枠装置は、一対の型枠体からなる型枠と、顎付壁体を構築する部分の両外側に設置される軌条と、型枠を軌条上を走行移動可能に支持する車輪とを備え、型枠を軌条上を走行移動させながら、型枠の両型枠体間にコンクリートを打設することにより、所定の高さの顎付壁体を構築することができる。
【０００５】
しかし、このような構成の移動型枠装置を用いて防潮堤としての顎付壁体を構築する場合、装置が大掛かりになるため、装置の設置に多大な労力と時間がかかり、想定外の高潮や津波に対する災害対策を早急に採ることができない。
【先行技術文献】
【特許文献】
【０００６】
【特許文献１】特公昭６３−５１２３３号公報
【発明の概要】
【発明が解決しようとする課題】
【０００７】
一方、上記のような問題に対処するために、本願発明者等は、防潮対象場所に複数本の鋼管杭を設置し、この複数本の鋼管杭に複数段に、かつ、上下のプレキャスト部材が交互に配置されるように、平面視長円形状の複数のプレキャスト部材のブロックを取り付けて構成した防潮構造物を先に出願している。
【０００８】
このような構成の防潮構造物によれば、簡易に、かつ迅速に設置することができるので、想定外の高潮や津波に対する災害対策を早急に採ることができる。
【０００９】
しかし、より迅速な施工を目指した場合には、図６に示すように鋼管杭１２、１２の設置間隔を広げることが求められるが、その場合、鋼管杭１２からのプレキャスト部材３の張り出し長さａが長くなるため、鋼管杭２からプレキャスト部材１３の端部が突出してしまう。このため、想定外の高潮や津波を受けた場合に、片持ち梁状態でプレキャスト部材１３に鋼管杭１２を中心とする曲げモーメントが発生し、プレキャスト部材１３が損傷するおそれがある。また、線形が折れ曲がったり、湾曲したような複雑な形状の防潮対象場所に設置する場合には、図７に示すように、角部１５に対応する部分でプレキャスト部材１３を交差させる必要があるため、１種類のプレキャスト部材１３では、鋭角域において、防潮壁設置ラインからプレキャスト部材１３が飛び出してしまうという問題があった。
【００１０】
本発明は、上記のような従来の問題に鑑みなされたものであって、角部を有する等の複雑な形状の防潮対象場所にも設置することができるとともに、そのような場所に設置した場合においてもプレキャスト部材が損傷するおそれがない防潮構造物を提供することを目的とする。
【課題を解決するための手段】
【００１１】
本発明は、上記のような課題を解決するために、以下のような手段を採用している。
すなわち、本発明は、防潮構造物であって、防潮対象場所に所定の間隔ごとに設置される複数本の鋼管杭と、該複数本の鋼管杭の隣接する２本の鋼管杭間にそれぞれ取り付けられる複数のプレキャスト部材とを備え、前記複数のプレキャスト部材は、前記複数本の鋼管杭に複数段に、かつ、上下段のプレキャスト部材が交互に配置されるように千鳥状に、前記複数本の鋼管杭に取り付けられ、前記各プレキャスト部材は、平面視長円形状をなすブロックであって、左右両端面が曲面に形成される平面視長円形状の本体部と、該本体部の下面から突出するとともに、左右両端面が曲面に形成される柱状の突出部と、該突出部を挟んだ前記本体部の両側に設けられるとともに、前記鋼管杭を挿通させる挿通孔とを備え、下段の隣接するプレキャスト部材の前記本体部間に上段のプレキャスト部材の前記突出部が配置され、かつ、各段の隣接する本体部の左右何れかの端面と、それらの間に配置される突出部の左右両端面とが互いに接触するように、前記複数のプレキャスト部材が前記複数本の鋼管杭に取り付けられていることを特徴とする。
【００１２】
本発明の防潮構造物によれば、防潮対象場所に所定の間隔ごとに複数本の鋼管杭を設置し、複数のプレキャスト部材を鋼管杭に挿通することにより、防潮構造物を設置することができる。従って、防災対策が必要な場所に、簡易に、かつ迅速に設置することができる。
【００１３】
また、複数のプレキャスト部材は、複数段に、かつ上下段のプレキャスト部材が交互に配置されるように、複数本の鋼管杭に取り付けられるとともに、下段の隣接するプレキャスト部材の本体部間に上段のプレキャスト部材の突出部が配置され、かつ、各段の隣接する本体部の左右何れかの端面と、それらの間に配置される突出部の左右両端面とが互いに接触しているので、各段の隣接するプレキャスト部材間、上下に隣接するプレキャスト部材間に隙間が形成されるのを防止でき、高潮や津波が内陸側に浸入するのを防止できる。
【００１４】
また、プレキャスト部材の突出部を挟んだ本体部の両側に挿通孔が設けられているので、鋼管杭の間隔を広げるような場合であっても、鋼管杭からのプレキャスト部材の本体部の迫り出し長さが長くなるようなことはない。従って、想定外の高潮や津波を受けても、プレキャスト部材に鋼管杭を中心とする過大な回転モーメントが発生するようなことはない。
【００１５】
また、鋼管杭の間隔を広げるような場合であっても、下段の隣接するプレキャスト部材の本体部間に、上段のプレキャスト部材の突出部が配置されることになるので、各段の隣接するプレキャスト部材の突出部間に、それらの間の隙間を埋めるために他の形状のプレキャスト部材を介装させる必要はなく、大半のエリアを１種類のプレキャスト部材で対応することができる。
【００１６】
また、本発明は、防潮構造物であって、防潮対象場所に所定の間隔ごとに設置される複数本の鋼管杭と、該複数本の鋼管杭の隣接する２本の鋼管杭間にそれぞれ取り付けられる複数のプレキャスト部材とを備え、前記複数のプレキャスト部材は、前記複数本の鋼管杭に複数段に、かつ、上下段のプレキャスト部材が交互に配置されるように千鳥状に、前記複数本の鋼管杭に取り付けられ、前記各プレキャスト部材は、本体部と、該本体部の上面から突出する突出部と、該突出部を挟んだ前記本体部の両側に設けられるとともに、前記鋼管杭を挿通させる挿通孔とを備え、下段の隣接するプレキャスト部材の前記突出部間に上段のプレキャスト部材の前記本体部が配置され、かつ、各段の隣接する突出部の左右何れかの端面と、それらの間に配置される本体部の左右両端面とが互いに接触するように、前記複数のプレキャスト部材が前記複数本の鋼管杭に取り付けられ、最下段の隣接する前記プレキャスト部材の前記本体部の間に、その間の隙間を塞ぐプレキャスト部材が介装されていることを特徴とする。
【００１７】
本発明の防潮構造物によれば、防潮対象場所に所定の間隔ごとに複数本の鋼管杭を設置し、複数のプレキャスト部材を鋼管杭に挿通することにより、防潮構造物を設置することができる。従って、防災対策が必要な場所に、簡易に、かつ迅速に設置することができる。
【００１８】
また、複数のプレキャスト部材は、複数段に、かつ上下段のプレキャスト部材が交互に配置されるように、複数本の鋼管杭に取り付けられるとともに、下段の隣接するプレキャスト部材の突出部間に上段のプレキャスト部材の本体部が配置され、かつ、各段の隣接する突出部の左右何れかの端面と、それらの間に配置される本体部の左右両端面とが互いに接触しているので、各段の隣接するプレキャスト部材間、上下に隣接するプレキャスト部材間に隙間が形成されるのを防止でき、高潮や津波が内陸側に浸入するのを防止できる。
【００１９】
また、鋼管杭の間隔を広げるような場合であっても、下段の隣接するプレキャスト部材の突出部間に、上段のプレキャスト部材の本体部が配置されることになるので、各段の隣接するプレキャスト部材の突出部間に、それらの間の隙間を埋めるために他の形状のプレキャスト部材を介装させる必要はなく、ほぼ１種類のプレキャスト部材で対応することができる。
【００２０】
また、本発明において、前記プレキャスト部材は、平面視長円形状をなすブロックであって、左右両端面が曲面に形成される平面視長円形状の前記本体部と、前記本体部の下面中央部から突出するとともに、左右両端面が曲面に形成される柱状の前記突出部と、該突出部を挟んだ前記本体部の両側に設けられる前記挿通孔とからなることとしてもよい。
【００２１】
本発明の防潮構造物によれば、プレキャスト部材の本体部の左右両端面及び突出部の左右両端面が曲面状に形成されているので、複数本の鋼管杭が一直線上に配置されていなくても、各段の隣接するプレキャスト部材の本体部の左右何れかの端面と、本体部間に配置される突出部の両端面とを接触させたまま、或いは、各段の隣接するプレキャスト部材の突出部の左右何れかの端面と、突出部間に配置される本体部の両端面とを接触させたまま、隣接する鋼管杭間にプレキャスト部材を取り付けることができ、これにより、鋼管杭の施工上の誤差を吸収できる。また、各段の隣接するプレキャスト部材間に隙間が形成されるようなことはないので、内陸側に高潮や津波が浸入するのを防止できる。
【発明の効果】
【００２２】
以上、説明したように、本発明の防潮構造物によれば、角を有する等の複雑な形状の防潮対象場所に対応させるために、鋼管杭間の間隔を広げた場合であっても、大部分を１種類のプレキャスト部材で構成することができる。
【図面の簡単な説明】
【００２３】
【図１】本発明による防潮構造物の第１の実施の形態を示した概略図である。
【図２】図１のプレキャスト部材の平面図である。
【図３】図２の正面図である。
【図４】防潮構造物の適用例を示した説明図である。
【図５】本発明による防潮構造物の第２の実施の形態を示した概略図である。
【図６】従来の防潮構造物の一例を示した概略図である。
【図７】従来の防潮構造物の他の例を示した概略図である。
【発明を実施するための形態】
【００２４】
以下、図面を参照しながら本発明の実施の形態について説明する。
図１〜図３には、本発明による防潮構造物の第１の実施の形態が示されている。本実施の形態の防潮構造物１は、台風等による高潮や地震による津波による災害の発生を防止するのに有効なものであって、高潮や津波による災害対策が必要な場所（例えば、海岸、護岸等、本実施の形態では海岸１０とする。）に設置される。
【００２５】
すなわち、本実施の形態の防潮構造物１は、図１に示すように、複数本の鋼管杭２と、隣接する２本の鋼管杭２、２間を連結するプレキャスト部材３とから構成されている。
【００２６】
なお、図１においては、説明の便宜上、一列に並んだ複数本の鋼管杭２のうちの一部（同図では７本）の鋼管杭２のみを示している。
【００２７】
鋼管杭２は、所定の機械的性質を有するものであれば特に制限はなく、例えば、ＪＩＳ  Ａ  ５５２５（鋼管ぐい）に規定される鋼管杭を使用することができる。本実施の形態においては、外径２０００ｍｍ、厚さ２５ｍｍの鋼管杭２を使用している。
【００２８】
複数の鋼管杭２は、対象の海岸１０の海岸線に沿うように所定の間隔ごとに一列に設置される。各鋼管杭２は、公知の鋼管杭工法により、下端が支持層１１に達し、上端が所定の高さに達するように、対象の海岸１０に設置される。各鋼管杭２は、１本の単管により、或いは２本以上の単管を溶接することにより、所定の長さに形成される。本実施の形態においては、従来の防災基準を超える高潮や津波にも十分に対応できるように、各鋼管杭２の高さを設定している。
【００２９】
プレキャスト部材３は、図２及び図３に示すように、平面視長円形状の本体部３ａと、本体部３ａの下面中央部から下方に突出する柱状の突出部３ｂとからなるプレキャストコンクリート製のブロックである。
【００３０】
本体部３ａは、前面４及び後面５が平面に形成され、左右両端面６が曲面に形成されている。突出部３ｂは、前面４ａ及び後面５ａが本体部３ａの前面４及び後面５と面一の平面に形成され、左右両端面６ａが曲面に形成されている。本体部３ａの端面６、及び突出部３ｂの端面６ａは、鋼管杭２の中心を中心とする円弧面が好ましい。
【００３１】
プレキャスト部材３には、鋼管杭２のピッチに対応するように、本体部３ａの突出部３ｂを挟んだ両側に、２つの円形状の挿通孔７が貫通した状態で設けられている。
【００３２】
突出部３ｂの下面には、前後に一対の角柱状の嵌合突起３ｃ、３ｃが一体に設けられ、この一対の嵌合突起３ｃ、３ｃを嵌合させる一対の嵌合溝３ｄ、３ｄが本体部３ａの上面中央部に設けられている。
【００３３】
プレキャスト部材３の各挿通孔７内に、隣接する２本の鋼管杭２、２のそれぞれを挿通させることより、これら隣接する２本の鋼管杭２、２がプレキャスト部材３により連結される。
【００３４】
図２及び図３に示すように、プレキャスト部材３の各挿通孔７は、各挿通孔７内に鋼管杭２を挿通させたときに、各挿通孔７の内面と鋼管杭２の外面との間に環状の隙間８が形成されるように、内径寸法が設定されている。本実施の形態においては、幅５０ｍｍの環状の隙間８が形成されるように、各層通孔７を内径２１００ｍｍに設定している。この環状の隙間８内にモルタル、発泡ウレタン、ソイルセメント等の充填材９を充填している。
【００３５】
プレキャスト部材３は、図１に示すように、複数段に、かつ、上下のプレキャスト部材３が取り付けられる鋼管杭２が交互に１本ずれるように千鳥状に、隣接する２本の鋼管杭２、２間にそれぞれ取り付けられる。
【００３６】
具体的には、第１段目については、突出部３ｂを上向きにした状態で、第２鋼管杭２ｂと第３鋼管杭２ｃとの間、第４鋼管杭２ｄと第５鋼管杭２ｅとの間、第６鋼管杭２ｆと第７鋼管杭２ｇとの間に、順次プレキャスト部材３を取り付ける。また、第２段目については、突出部３ｂを下向きにした状態で、第１段目の隣接する２つのプレキャスト部材３、３の本体部３ａ、３ａ間に２段目のプレキャスト部材３の突出部３ｂがそれぞれ配置されるように、第１鋼管杭２ａと第２鋼管杭２ｂとの間、第３鋼管杭２ｃと第４鋼管杭２ｄとの間、第５鋼管杭２ｅと第６鋼管杭２ｆとの間に、順次プレキャスト部材３を取り付ける。同様に、３段目〜６段目についても、下段の隣接する２つのプレキャスト部材３、３の本体部３ａ、３ａ間に上段のプレキャスト部材３の突出部３ｂがそれぞれ配置されるように、隣接する鋼管杭２、２間に順次プレキャスト部材３を取り付ける。
【００３７】
なお、下段の隣接する２つのプレキャスト部材３、３の本体部３ａ、３ａと、それらの間に配置される上段のプレキャスト部材３の突出部３ｂとは、曲面からなる端面６、６ａ同士が互いに接触するように、プレキャスト部材３の寸法が設定されている。また、下段の各プレキャスト部材３の突出部３ｂの嵌合突起３ｃは、その上段の各プレキャスト部材３の嵌合溝３ｄ内にそれぞれ嵌合される。
【００３８】
最上段のプレキャスト部材３には、各挿通孔７の上端開口が閉塞されたものを使用し、このプレキャスト部材３の各挿通孔７内に各鋼管杭２の上端を挿入させることにより、このプレキャスト部材４で各鋼管杭２の上端を覆うものとする。
【００３９】
上下段のプレキャスト部材３、３の目地の部分には、シール材、止水材、ゴム材等の弾性を有する材料からなる目地材（図示せず）が介装され、この目地材によって上下のプレキャスト部材３、３間がシールされる。
【００４０】
このように、下段の隣接するプレキャスト部材３、３の本体部３ａ、３ａ間に上段のプレキャスト部材３の突出部３ｂを配置することができ、この上段のプレキャスト部材３の突出部３ｂの両端面６ａに、下段の隣接するプレキャスト部材３、３の本体部３ａの端面６を接触させ、かつ、複数のプレキャスト部材３を上下に積み重ねることにより、各段の隣接するプレキャスト部材３、３間、及び上下に隣接するプレキャスト部材３、３間に隙間が形成されるのを防止できる。
【００４１】
なお、図１には、第１段目の第１鋼管杭２ａに相当する部分、第３段目の第１鋼管杭２ａに相当する部分、第５段目の第１鋼管杭２ａに相当する部分、第６段目の第１鋼管杭２ａに相当する部分、第２段目の第７鋼管杭２ｇに相当する部分、第４段目の第７鋼管杭２ｇに相当する部分、第６段目の第７鋼管杭２ｇに相当する部分にプレキャスト部材３を図示していないが、説明の便宜上、省略したものであって、実際には、これらの部分にも同様にプレキャスト部材３がそれぞれ取り付けられている。
【００４２】
上記のように構成した本実施の形態の防潮構造物１にあっては、高潮や津波が発生した場合、その高潮や津波による外力をプレキャスト部材３の前面４側で受けることにより、それらが内陸側に浸入するのを防止できる。
【００４３】
また、下段の隣接するプレキャスト部材３の本体部３ａ、３ａの曲面からなる端面６と、それらの間に配置される上端のプレキャスト部材３の突出部３ｂの曲面からなる端面６ａとが互いに接触していることにより、各プレキャスト部材３が回転しても、隣接するプレキャスト部材３同士が互いに競るようなことはないので、各段の隣接するプレキャスト部材３同士が互いに競り合って損傷するのを防止できる。
【００４４】
また、プレキャスト部材３は２つの挿通孔７、７内に、隣接する２本の鋼管杭２、２の各々を挿通させることにより、隣接する２本の鋼管杭２、２間に取り付けられる構成となっているので、複数の鋼管杭２が直線上から多少ずれていても、隣接する２本の鋼管杭２、２間に容易に取り付けることができる。これにより、鋼管杭２の施工上の誤差を吸収できる。
【００４５】
また、図４に示すように、対象の海岸１０の海岸線の線形が折れ曲がったり、湾曲した形状等であっても、１種類のプレキャスト部材３で柔軟に対応することができる。この場合、線形が折れ曲がったり、湾曲した形状等に対応させても、各プレキャスト部材３の本体部３ａの両端面６、突出部３ｂの両端面６ａは曲面に形成され、下段の隣接するプレキャスト部材３の本体部３ａの端面６と、それらの間に配置される上段のプレキャスト部材３の突出部３ｂの両端面６ａとが互いに接触した状態を維持することができ、これにより、隣接するプレキャスト部材３間に隙間が形成されるのを防止できる。
【００４６】
また、図２に示すように、プレキャスト部材３の本体部３ａの突出部３ｂを挟んだ両側に２つの挿通孔７、７が設けられているので、線形が折れ曲がったり、湾曲したような複雑な形状の防潮対象場所に設置するために、鋼管杭２の間隔を広げるような場合であっても、鋼管杭２からのプレキャスト部材３の本体部３ａの迫り出し長さ（図２のａ、ｂ）が、図６に示す従来例のように長くなるようなことはなく、また、角部に対応する部分においても、図７に示す従来例のように、プレキャスト部材３が突出するようなことがないので、想定外の高潮や津波を受けても、プレキャスト部材３に鋼管杭２を中心とする過大な曲げモーメントが発生するようなことはなく、プレキャスト部材３が損傷するようなことはない。
【００４７】
また、鋼管杭２の間隔を広げるような場合であっても、下段の隣接するプレキャスト部材３の本体部３ａ、３ａ間に、上段のプレキャスト部材３の突出部３ｂが配置されることになるので、各段の隣接するプレキャスト部材３の突出部３ｂ、３ｂ間に、それらの間の隙間を埋めるために他の形状のプレキャスト部材を介装させる必要はなく、１種類のプレキャスト部材３で対応することができる。
【００４８】
また、図２及び図３に示すように、各プレキャスト部材３の突出部３ｂの先端は、突出部３ｂ側の嵌合突起３ｃが本体部３ａ側の嵌合溝３ｄ内に嵌合されることで、上段又は下段の各プレキャスト部材３の本体部３ａに支持されているので、鋼管杭２の間隔を広げるような場合であっても、片持状態となって弱点となるようなことがない。
【００４９】
また、複数の鋼管杭２に複数のプレキャスト部材３を取り付けることにより、各鋼管杭３の表面を覆った状態としているので、各鋼管杭２に海水が直接に接触するのを防止でき、各鋼管杭２が海水で腐食するのを防止できる。
【００５０】
また、対象の海岸１０に海岸線に沿うように複数の鋼管杭２を設置し、隣接する２本の鋼管杭２、２間にプレキャスト部材３を取り付ければよいので、簡易に、かつ迅速に施工することができ、防災対策が必要な場所に早急に施工することができる。
【００５１】
さらに、海岸１０に新設する場合だけでなく、既設の防潮堤等の防潮構造物に対しても、容易に削孔して鋼管杭２を打設することができるので、既存の防潮構造物の嵩上げを行うような場合にも柔軟に対応することができる。
【００５２】
図５には、本発明による防潮構造物の第２の実施の形態が示されている。本実施の形態の防潮構造物１は、各段のプレキャスト部材３を突出部３ｂを上向きにした状態で鋼管杭２間に取り付け、下段の隣接するプレキャスト部材３の突出部３ｂ間に上段のプレキャスト部材の本体部３ａを配置し、各段の隣接するプレキャスト部材３の突出部３ｂの左右いずれかの端面６aと、突出部３ｂ間に配置される上段の本体部３ａの両端面６とを互いに接触させたものであって、その他の構成は前記第１の実施の形態に示すものと同様である。
なお、最下段については、隣接するプレキャスト部材３の本体部３ａ間に、その間の隙間を塞ぐためのプレキャスト部材３´を介装させている。
【００５３】
本実施の形態の防潮構造物１にあっても、前記第１の実施の形態に示すものと同様の作用効果を奏する。
【００５４】
なお、前記各実施の形態においては、プレキャスト部材３にプレキャストコンクリート製のブロックを使用したが、現場打ちによってプレキャスト部材３と同一構造のものを製造して使用してもよい。
【符号の説明】
【００５５】
１  防潮構造物
２  鋼管杭
２ａ  第１鋼管杭
２ｂ  第２鋼管杭
２ｃ  第３鋼管杭
２ｄ  第４鋼管杭
２ｅ  第５鋼管杭
２ｆ  第６鋼管杭
２ｇ  第７鋼管杭
３、３´  プレキャスト部材
３ａ  本体部
３ｂ  突出部
３ｃ  嵌合突起
３ｄ  嵌合溝
４、４ａ  前面
５、５ａ  後面
６、６ａ  端面
７  挿通孔
８  隙間
９  遮水性緩衝材
１０  海岸
１１  支持層
【図２】
0005938919.tif 000002
【図３】
0005938919.tif 000003
【図４】
0005938919.tif 000004
【図５】
0005938919.tif 000005
【図６】
0005938919.tif 000006
【図７】
0005938919.tif 000007
【図１】
0005938919.tif 000008